(57)【要約】【課題】  本発明は、1番組中に多くのチャプタがある場合でも、1番組中の各チャプタのダビング可能回数を容易に把握することができる記録再生装置を提供することを目的とする。【解決手段】  本発明の番組情報表示装置は、複数の番組を記録する第1の記録手段と、番組に含まれるチャプタ及びチャプタ毎のダビング回数情報を記録する第2の記録手段と、番組及びチャプタの代表画像を表示する画面に対して、番組を出力する出力手段と、チャプタのダビング毎に、ダビング回数情報をカウントする制御手段とを備え、記複数の番組のうち特定の番組のチャプタ毎のダビング回数情報を、画面の一画面内に、チャプタの代表画像とともに、ダビング回数情報に応じたマークで表示するように出力する構成としたことを特徴とする。【選択図】      図２
2010129145.tif 000002
【特許請求の範囲】
【請求項１】
複数の番組を記録する第1の記録手段と、
前記番組に含まれるチャプタ及び前記チャプタ毎のダビング回数情報を記録する第2の記録手段と、
前記番組及び前記チャプタの代表画像を表示する画面に対して、前記番組を出力する出力手段と、
前記チャプタのダビング毎に、前記ダビング回数情報をカウントする制御手段と
を備え、
前記複数の番組のうち特定の番組の前記チャプタ毎のダビング回数情報を、前記画面の一画面内に、前記チャプタの代表画像とともに、前記ダビング回数情報に応じたマークで表示するように出力する構成としたことを特徴とする記録再生装置。
【請求項２】
前記マークを、前記チャプタの表示順に表示するように出力することを特徴とする請求項１記載の記録再生装置。
【請求項３】
前記画面の一画面内の上段に、前記特定の番組の全てのチャプタの代表画像を表示し、前記画面の一画面内の下段に、前記特定の番組の全てのチャプタの前記マークを表示するように出力することを特徴とする請求項２記載の記録再生装置。
【請求項４】
前記ダビングすべき前記チャプタを指定する指定手段を備え、
前記指定手段による複数のチャプタの指定が終了してから、前記ダビングを行うとともに、前記ダビングに応じて前記ダビング回数情報をカウントすることを特徴とする請求項１記載の記録再生装置。
【発明の詳細な説明】
【技術分野】
【０００１】
本発明は、番組のチャプタの複数回のダビングが可能な記録再生装置に関する。
【背景技術】
【０００２】
シーン毎にコピー制限情報が異なる番組において、シーン毎のコピー許可回数(コピー可能回数)を表示する記録再生装置が知られている(特許文献１)。
しかしながら、該装置では、1番組中のシーンが多くなると、ユーザに対して、1番組中の各シーンのコピー許可回数を1画面で提示しようとすると、見づらくなる。また、ユーザに提示するシーンを、1画面あたりを所定数(8シーン)とすると、1番組全てのコピー許可回数を知るためには複数画面を表示させなければならず、ユーザが1番組中の各シーンのコピー許可回数を把握しづらいという問題点があった。
【特許文献１】特開2007-213668号公報
【発明の開示】
【発明が解決しようとする課題】
【０００３】
従来の装置は、1番組中に多くのシーン(シーンとシーンの間がチャプタ)がある場合に、ユーザが1番組中の各コピー許可回数(ダビング可能回数)を把握しづらいという問題点があった。
【０００４】
本発明は、1番組中に多くのチャプタがある場合でも、1番組中の各チャプタのダビング可能回数を容易に把握することができる記録再生装置を提供することを目的とする。
【課題を解決するための手段】
【０００５】
上記目的を達成するために、本発明の記録再生装置は、複数の番組を記録する第1の記録手段と、
前記番組に含まれるチャプタ及び前記チャプタ毎のダビング回数情報を記録する第2の記録手段と、
前記番組及び前記チャプタの代表画像を表示する画面に対して、前記番組を出力する出力手段と、
前記チャプタのダビング毎に、前記ダビング回数情報をカウントする制御手段と
を備え、
前記複数の番組のうち特定の番組の前記チャプタ毎のダビング回数情報を、前記画面の一画面内に、前記チャプタの代表画像とともに、前記ダビング回数情報に応じたマークで表示するように出力する構成としたことを特徴とする。
【０００６】
そして、ユーザは、番組内の複数のチャプタ毎のダビング回数を一目で把握することができる。これにより、ダビング可能回数を一目で把握することができる。
また、前記マークを、前記チャプタの表示順に表示するように出力することを特徴とする。
そして、マークがチャプタの表示順と同じ順序で表示されるので、ユーザはチャプタとチャプタ毎のダビング回数との対応関係を容易に把握することができる。
また、前記画面の一画面内の上段に、前記特定の番組の全てのチャプタの代表画像を表示し、前記画面の一画面内の下段に、前記特定の番組の全てのチャプタの前記マークを表示するように出力することを特徴とする。
【０００７】
そして、各チャプタとチャプタ毎のダビング回数との対応関係を容易に把握することができる。
また、前記ダビングすべき前記チャプタを指定する指定手段を備え、
前記指定手段による複数のチャプタの指定が終了してから、前記ダビングを行うとともに、前記ダビングに応じて前記ダビング回数情報をカウントすることを特徴とする。
【発明の効果】
【０００８】
本発明によれば、番組内に複数のチャプタがあり、該チャプタ毎にダビング可能回数が異なる場合であっても、ユーザは、番組内の複数のチャプタ毎のダビング可能回数を一目で把握することができる。
【発明を実施するための最良の形態】
【０００９】
以下、図面を参照して本発明の実施の形態を説明する。
図１は、この実施の形態で説明する記録再生装置1000のブロック図を示している。
図１において、アンテナ1で受信したデジタル放送の信号は、チューナ2へ送くられる。チューナ2では、CPU5の制御信号によってチューニング及びデジタル信号の復調が行われる。復調された信号は、エンコーダ/デコーダ4へ送られ、例えば、MPEG2にエンコードされた映像情報(番組)は、HDD11に記録される。なお、映像情報(番組)は、DVD記録再生装置10の内部に挿入されているDVD記録再生装置1000外部に取り外し可能なDVD(図示しない)に直接記録してもよいし、HDD11からダビングしてもよい。
【００１０】
一方、リモートコントロール8にて送信された信号は、受光部9で光電変換が行われ、CPU5にキー情報として送られる。CPU5は、入力されたキー情報(例えば、HDD11に記録している特定の番組の内容表示)にしたがって、後述する番組の各チャプタの状況を、例えば、図２のような番組情報表示画面200にまとめ、出力端子20から出力し、出力端子20に接続されているTV(図示せず)の画面に表示する。また、HDD11，DVD記録再生装置10に記録されている番組をエンコーダ/デコーダ4を介して出力端子20から出力し、出力端子20に接続されているTVの画面に表示する。
【００１１】
次に、HDD11，DVD記録再生装置10に記録される番組の構成と、ダビングに関連するダビング回数情報について説明する。
図３，図４は、特定の番組の構成と、ダビング回数情報との関係を示す図である。図３(a)は、番組とチャプタとの関係を示す図，図３(b)は、HDD11に記録されているダビング回数情報のリストの一例を示す図である。図４は、図３と同様だが、図４は、図３の番組に対して、チャプタを切り直したり他の番組のチャプタをコピーしたりして編集した結果を示す図である。このため、図４(a)の番組は、図３(a)の番組に対して、30分長くなり90分の番組となっている。
【００１２】
アンテナ1で受信したデジタル放送には多くの番組が放送されている。図３(a)では、放送開始時刻10:00，放送終了時刻11:00の60分間の1番組を例示している。この番組がHDD11に記録されているものとする。なお、放送開始時刻等は、デジタル放送に番組情報として送信されており、DVD記録再生装置1000はこれも合わせてHDD11に記録している。また、チャプタ(所定時刻から所定時刻までの所定期間。例えば、チャプタ1は、10:00〜10:03の3分間の番組に相当)は、記録再生装置1000が任意に設定したものである。
【００１３】
図３(b)は、図３(a)の状態をHDD11に記録する際のダビング回数情報リストであり、チャプタ番号(チャプタ1，チャプタ2等に相当)，開始位置(各チャプタの先頭位置に相当)，ダビング回数で1項目になっている。
【００１４】
なお、ダビング回数とは、該チャプタが何度ダイビングされたかを示す情報であり、例えば、10回ダビングがなされると11回目のダビングを禁止するために用いられる情報である。図３(b)では、番組に対して編集を行っていないので、ダビング回数は全てのチャプタで0回となっている。
【００１５】
これに対して、図４は、図３(a)の番組を編集して番組内でのチャプタのダビング(コピー)，チャプタの削除，チャプタ位置の変更，他の番組のチャプタのダビング(コピー)を行った後の状態を示す図である。このため、図４(b)に示すように、ダビング回数が増加しているチャプタが存在する。
【００１６】
そして、図２の番組情報表示画面200は、図４の編集後の番組のチャプタ一覧を示した図である。図２では、図４(b)のリストに対応して、12個のチャプタが表示されている例を示す。
【００１７】
図２において、チャプタ1の代表画像201の左上にはチャプタ番号205として「0001」，右上には記録フォーマットとしてVR方式を表す「VR」を表示する。なお、代表画像201は、チャプタ1の開始位置の映像を静止画として表示しているが、ユーザに任意に選択させてもよい。
【００１８】
番組情報表示画面200の最下段には、番組のタイムバー250が表示されている。タイムバー250の表示位置は固定されているため、番組の長さ(時間)が変化しても表示は同様である。但し、タイムバー250内に表示される各チャプタのダビング回数を示すマーク260の長さは、番組のチャプタ数に応じて決定される。例えば、チャプタ数が5個ある場合に比べてチャプタ数が12個ある場合の方が、マーク260の1つあたりの長さは短く表示されることとなる。
【００１９】
マーク260は、各チャプタ毎にダビング回数に応じたマーク260がチャプタ順にタイムバー250に表示される。マーク260の種類は、図５に示すように、図４(b)のダビング回数に応じて、0〜9の10通りある。
【００２０】
停止位置バー280は、番組での停止位置を示し、停止位置時刻290は、停止位置バー280の停止位置時刻を示す。
図６は、図２の番組情報表示画面200を表示させるCPU5のフローチャートである。
CPU5が、HDD11からユーザが選択した番組のダビング回数情報リスト(例えば、図３(b)，図４(b))のリストを呼び出し、該リストに応じて図２の番組情報表示画面200相当の画面を表示させた上で、ユーザがリモートコントロール8を用いて、特定のチャプタ(例えば、チャプタ3)を選択したか否かをチェックする(ステップS601)。ステップS601でYesの場合、CPU5は、チャプタ3のダビング回数を、図４(b)のチャプタ番号が「3」のダビング回数をチェックする(ステップS602)。ここでダビングが可能か否かをチェックする(ステップS603)。これは、例えば、ダビング回数が10以下か否かをチェックし、ダビング回数が10以下ならばダビング可能(ステップS603でYesの場合)として、チャプタ3をダビング予定とする(ステップS604)。これは、リストとともに記録してもよいし、別の記憶装置(例えば、CPU5が持つRAM)に記憶しておいてもよい。
【００２１】
次にCPU5はユーザが別のチャプタをダビング対象として指定したか否かをチェックする(ステップS605)。これは、例えば、リモートコントロール8からの信号でチェックすることができる。ステップS605でYesの場合(例えば、チャプタ6)、ステップ602に戻る。これにより複数のチャプタを1度に指定することができる。逆にステップS605でNoの場合(チャプタ3のみ指定)、ダビング予定があるか否かをチェックし(ステップS606)、ステップS604でチャプタ3がダビング指定されていることから、チャプタ3のダビングを行う(ステップS607)。なお、このダイビングは、DVD記録再生装置10内のDVDでもよいし、HDD11内でもよい。ステップS607のダビング終了後、図４(b)のリストのチャプタ番号「3」のダビング回数を+1してHDD11に記録する(ステップS608)。この場合、例えば、図４(b)のように、ダビング回数が「2」となる。CPU5は、このリストの内容の変化に対応させて、図５のマーク260の10種類の中から対応するマーク206-1を選択して、番組情報表示画面200を表示させる(ステップS609)。これにより、図２の番組情報表示画面200がユーザに提示される。
【００２２】
なお、図６では、まずユーザにチャプタを複数選択させてからまとめてダビングする例を説明したが、これに限定されるものではなく、ユーザが1つのチャプタを選択する毎にダビング，リストのダビング回数を+1するようにしてもよい。
【図面の簡単な説明】
【００２３】
【図１】本発明の一実施の形態による記録再生装置の概略構成図。
【図２】同実施の形態にかかわるダビング回数情報リストの一例を示す図。
【図３】同実施の形態にかかわる特定の番組の構成と、ダビング回数情報との関係を示す図。
【図４】同実施の形態にかかわる編集後の特定の番組の構成と、ダビング回数情報との関係を示す図。
【図５】同実施の形態にかかわるマーク260の種類を示す図。
【図６】同実施の形態にかかわるCPUのフローチャート。
【符号の説明】
【００２４】
5  CPU
8  リモートコントロール
10  DVD記録再生装置(DVD)
11  HDD
20  出力端子
200  番組情報表示画面
201  代表画像
205  チャプタ番号
260，260-1  マーク
1000  記録再生装置
【図１】
2010129145.tif 000003
【図２】
2010129145.tif 000004
【図３】
2010129145.tif 000005
【図４】
2010129145.tif 000006
【図５】
2010129145.tif 000007
【図６】
2010129145.tif 000008